(57)【要約】【課題】修理サービス対応の負荷をより軽減できる光ディスク装置を提供する。【解決手段】光ディスクに対して記録及び／または再生を行う光ディスクドライブと、情報を記憶する記憶部と、を備えた光ディスク装置において、前記光ディスクドライブにエラーが発生した場合に、発生したエラーに対応して詳細情報を含むエラー情報を前記記憶部に蓄積保存させる保存部を備える。【選択図】図１
2012248258.tif 000002
【特許請求の範囲】
【請求項１】
光ディスクに対して記録及び／または再生を行う光ディスクドライブと、情報を記憶する記憶部と、を備えた光ディスク装置において、
前記光ディスクドライブにエラーが発生した場合に、発生したエラーに対応して以下の少なくともいずれかの情報を含むエラー情報を前記記憶部に蓄積保存させる保存部を備えることを特徴とする光ディスク装置。
光ディスクが有するＢＣＡ（Burst Cutting Area）まで光ピックアップを移動させようとしたときに移動できなかった場合のエラーを示すＢＣＡ移動エラー情報；
光ディスク無しと認識された場合のエラーを示すディスク無しエラー情報；
光ディスクが有するＰＦＩ（Physical Format Information）領域に記録されたディスクタイプ情報を読み出したときに、読み出されたディスクタイプ情報が光ディスク装置が対応しないディスクタイプであった場合のエラーを示すＰＦＩエラー情報；
判別されたディスクタイプが、光ディスクに記録されたディスク情報に含まれるディスクタイプ情報と一致しない場合のエラーを示すディスク判別エラー情報；
所定の初期位置まで光ピックアップを移動させようとしたときに生じたエラーを示すトラバース初期位置エラー情報；
光ディスクの偏芯を検出した場合のエラーを示すディスク偏芯エラー情報；
光ディスクの傷検出用の調整に失敗した場合のエラーを示すディスク傷検出調整エラー情報；
フォーカス調整に失敗した場合のエラーを示すフォーカス調整エラー情報；
オフセット調整に失敗した場合のエラーを示すオフセット調整エラー情報；
トラッキング調整に失敗した場合のエラーを示すトラッキング調整エラー情報；
光ピックアップ周辺の温度に応じたフォーカスバランス調整に失敗した場合のエラーを示す温度フォーカスバランス調整エラー情報；
光ディスクの重さが異常であることが検出された場合のエラーを示すディスク重さ異常エラー情報；
光ディスクのトラックが蛇行していることが検出された場合のエラーを示すトラック蛇行エラー情報；
光ピックアップにより読み出されたＲＦ信号の調整に関する異常を検出した場合のエラーを示す読み出し信号調整エラー情報；
ＬＤ（レーザダイオード）によるライトストラテジに関する異常を検出した場合のエラーを示すライトストラテジ異常エラー情報；
フロントエンドマイコンのタスクを管理するＯＳに関するエラーを示すタスクＯＳエラー情報；
フォーカス動作を制御するプログラムのスクリプトエラーを示すフォーカススクリプトエラー情報；
トラッキング動作を制御するプログラムのスクリプトエラーを示すトラッキングスクリプトエラー情報；
モータを制御するプログラムのスクリプトエラーを示すモータスクリプトエラー情報；
ＬＤの動作を制御するプログラムのスクリプトエラーを示すＬＤスクリプトエラー情報；
【請求項２】
前記保存部は、バックエンドマイコンとＡＴＡＰＩ（AT Attachment Packet Interface）による通信を行うフロントエンドマイコンであり、前記エラーが発生した場合に前記フロントエンドマイコンから前記バックエンドマイコンに前記エラー情報が通知されることを特徴とする請求項１に記載の光ディスク装置。
【請求項３】
操作部において所定の操作がされると、前記記憶部に蓄積された前記エラー情報をメモリカードに記憶させるメモリカード記憶部を備えることを特徴とする請求項１または請求項２に記載の光ディスク装置。
【請求項４】
前記記憶部は、前記光ディスクドライブが有する不揮発性メモリであることを特徴とする請求項１〜請求項３のいずれかに記載の光ディスク装置。
【発明の詳細な説明】
【技術分野】
【０００１】
本発明は、光ディスク装置に関する。
【背景技術】
【０００２】
従来、ブルーレイディスク、ＤＶＤ及びＣＤ等の光ディスクに対応する光ディスク装置が様々に登場している。光ディスク装置に不具合が生じた場合、光ディスク装置のユーザはメーカに修理サービスを依頼し、依頼されたメーカは、不具合が生じた光ディスク装置の不具合要因を特定することを行っていた。
【０００３】
そこで従来、例えば特許文献１には、動作中にエラーが発生した場合、エラーしたディスクの種類とエラー情報を不揮発性メモリに保存し、修理の際の負荷を軽減するとした光ディスク装置が提案されている。
【先行技術文献】
【特許文献】
【０００４】
【特許文献１】特開２００５−６３５３７号公報
【発明の概要】
【発明が解決しようとする課題】
【０００５】
しかしながら、上記特許文献１におけるエラー情報は詳細な情報とは言えないため、不具合要因の特定に時間がかかってしまうという問題がある。
【０００６】
そこで、本発明は、修理サービス対応の負荷をより軽減できる光ディスク装置を提供することを目的とする。
【課題を解決するための手段】
【０００７】
上記目的を達成するために本発明は、光ディスクに対して記録及び／または再生を行う光ディスクドライブと、情報を記憶する記憶部と、を備えた光ディスク装置において、
前記光ディスクドライブにエラーが発生した場合に、発生したエラーに対応して以下の少なくともいずれかの情報を含むエラー情報を前記記憶部に蓄積保存させる保存部を備える構成とする。
光ディスクが有するＢＣＡ（Burst Cutting Area）まで光ピックアップを移動させようとしたときに移動できなかった場合のエラーを示すＢＣＡ移動エラー情報；
光ディスク無しと認識された場合のエラーを示すディスク無しエラー情報；
光ディスクが有するＰＦＩ（Physical Format Information）領域に記録されたディスクタイプ情報を読み出したときに、読み出されたディスクタイプ情報が光ディスク装置が対応しないディスクタイプであった場合のエラーを示すＰＦＩエラー情報；
判別されたディスクタイプが、光ディスクに記録されたディスク情報に含まれるディスクタイプ情報と一致しない場合のエラーを示すディスク判別エラー情報；
所定の初期位置まで光ピックアップを移動させようとしたときに生じたエラーを示すトラバース初期位置エラー情報；
光ディスクの偏芯を検出した場合のエラーを示すディスク偏芯エラー情報；
光ディスクの傷検出用の調整に失敗した場合のエラーを示すディスク傷検出調整エラー情報；
フォーカス調整に失敗した場合のエラーを示すフォーカス調整エラー情報；
オフセット調整に失敗した場合のエラーを示すオフセット調整エラー情報；
トラッキング調整に失敗した場合のエラーを示すトラッキング調整エラー情報；
光ピックアップ周辺の温度に応じたフォーカスバランス調整に失敗した場合のエラーを示す温度フォーカスバランス調整エラー情報；
光ディスクの重さが異常であることが検出された場合のエラーを示すディスク重さ異常エラー情報；
光ディスクのトラックが蛇行していることが検出された場合のエラーを示すトラック蛇行エラー情報；
光ピックアップにより読み出されたＲＦ信号の調整に関する異常を検出した場合のエラーを示す読み出し信号調整エラー情報；
ＬＤ（レーザダイオード）によるライトストラテジに関する異常を検出した場合のエラーを示すライトストラテジ異常エラー情報；
フロントエンドマイコンのタスクを管理するＯＳに関するエラーを示すタスクＯＳエラー情報；
フォーカス動作を制御するプログラムのスクリプトエラーを示すフォーカススクリプトエラー情報；
トラッキング動作を制御するプログラムのスクリプトエラーを示すトラッキングスクリプトエラー情報；
モータを制御するプログラムのスクリプトエラーを示すモータスクリプトエラー情報；
ＬＤの動作を制御するプログラムのスクリプトエラーを示すＬＤスクリプトエラー情報；
【０００８】
このような構成によれば、詳細なエラー内容のエラー情報が記憶部に蓄積保存されるので、修理サービス対応の場合に不具合要因の特定を行い易くなり、修理サービス対応の負荷を軽減できる。
【０００９】
また、上記構成において、前記保存部は、バックエンドマイコンとＡＴＡＰＩ（AT Attachment Packet Interface）による通信を行うフロントエンドマイコンであり、前記エラーが発生した場合に前記フロントエンドマイコンから前記バックエンドマイコンに前記エラー情報が通知されるようにしてもよい。
【００１０】
また、上記いずれかの構成において、操作部において所定の操作がされると、前記記憶部に蓄積された前記エラー情報をメモリカードに記憶させるメモリカード記憶部を備えるようにしてもよい。
【００１１】
また、上記いずれかの構成において、前記記憶部は、前記光ディスクドライブが有する不揮発性メモリであるようにしてもよい。
【発明の効果】
【００１２】
本発明の光ディスク装置によると、修理サービス対応の負荷をより軽減できる。
【図面の簡単な説明】
【００１３】
【図１】本発明の一実施形態に係る光ディスク装置の概略構成図である。
【図２】本発明の一実施形態に係る光ピックアップの光学系を示す概略図である。
【図３】本発明の一実施形態に係るエラー情報の構成を示す図である。
【図４】本発明の一実施形態に係るエラー情報に含まれるMecha Error Informationの一例を示す図である。
【発明を実施するための形態】
【００１４】
＜全体構成に関して＞
以下に本発明の実施形態を図面を参照して説明する。本発明の一実施形態に係る光ディスク装置１００の概略構成を図１に示す。図１に示す光ディスク装置１００は、ブルーレイディスク（ＢＤ）、ＤＶＤ及びＣＤの記録再生が可能であり、光ディスク２０に対して読み取り・書き込みを行う光ディスクドライブ３０と、バックエンド側に配されるデコーダ１２、再生出力部１３、エンコーダ１４、バックエンドマイコン１５、カードインタフェース１６及びリモコン受信部１７とを備えている。
【００１５】
光ディスクドライブ３０は、光ピックアップ１と、信号生成回路２と、記録再生処理回路３と、ＬＤドライバ４と、サーボ制御部５と、ＬＤパワー制御部６と、ドライバ７と、送りモータ８と、スピンドルモータ９と、フロントエンドマイコン１０と、フラッシュＲＯＭ１１とを備えている。光ピックアップ１は、光源であるＣＤ用ＬＤ（レーザダイオード）１ａ、ＤＶＤ用ＬＤ１ｂ及びＢＤ用ＬＤ１ｃを有している。
【００１６】
ここで図２に、光ピックアップ１の光学系を示す概略図を示す。光ピックアップ１は、光ディスク２０に対して、光ビームを照射して反射光を受光する。これにより、光ディスク２０の記録層に記録されている情報を読み取ったり、光ディスク２０の記録層にデータを書き込んだりする。
【００１７】
光ピックアップ１は、ＣＤ用ＬＤ１ａと、ＤＶＤ用ＬＤ１ｂと、ＢＤ用ＬＤ１ｃと、ダイクロプリズム１ｄと、コリメートレンズ１ｅと、ビームスプリッタ１ｆと、立ち上げミラー１ｇと、液晶素子１ｈと、１／４波長板１ｉと、対物レンズ１ｊと、アクチュエータ１ｋと、検出レンズ１ｌと、光検出器１ｍとを備えている。
【００１８】
ＣＤ用ＬＤ１ａ及びＤＶＤ用ＬＤ１ｂは、ＣＤに対応する７８０ｎｍ帯の光ビームと、ＤＶＤに対応する６５０ｎｍ帯の光ビームとを出射できる二つの発光点を有する２波長一体型のＬＤとして構成される。ＢＤ用ＬＤ１ｃは、ＢＤに対応する４０５ｎｍ帯の光ビームを出射できるＬＤである。
【００１９】
なお、ＣＤ用ＬＤ１ａ及びＤＶＤ用ＬＤ１ｂは、例えば単一の波長の光ビームのみを出射するＬＤを個別に用いても構わない。
【００２０】
ダイクロプリズム１ｄは、ＣＤ用ＬＤ１ａ及びＤＶＤ用ＬＤ１ｂから出射される光ビームを透過し、ＢＤ用ＬＤ１ｃから出射される光ビームを反射する。そして、ＣＤ用ＬＤ１ａ及びＤＶＤ用ＬＤ１ｂと、ＢＤ用ＬＤ１ｃとから出射される光ビームの光軸を一致させる。ダイクロプリズム１ｄにおいて、透過又は反射された光ビームは、コリメートレンズ１ｅに送られる。
【００２１】
コリメートレンズ１ｅは、ダイクロプリズム１ｄから出射した光ビームを平行光に変換する。コリメートレンズ１ｅで平行光とされた光ビームは、ビームスプリッタ１ｆに送られる。
【００２２】
ビームスプリッタ１ｆは、入射する光ビームを分離する光分離素子として機能し、コリメートレンズ１ｅから送られてきた光ビームを透過して、光ディスク２０側へと導くとともに、光ディスク２０で反射された反射光を反射して光検出器１ｍ側へと導く。ビームスプリッタ１ｆを透過した光ビームは、立ち上げミラー１ｇに送られる。
【００２３】
立ち上げミラー１ｇは、ビームスプリッタ１ｆを透過してきた光ビームを反射して光ディスク２０へと導く。立ち上げミラー１ｇは、ビームスプリッタ１ｆからの光ビームの光軸に対して４５°傾いた状態となっており、立ち上げミラー１ｇで反射された光ビームの光軸は、光ディスク２０の記録面と略直交する。立ち上げミラー１ｇで反射された光ビームは、液晶素子１ｈに送られる。
【００２４】
液晶素子１ｈは、透明電極に挟まれた液晶（いずれも図示せず）に電圧を印加することで、液晶分子がその配向方向を変える性質を利用して、屈折率の変化を制御し、液晶素子１ｈを透過する光ビームの位相の制御を可能とする素子である。
【００２５】
この液晶素子１ｈを配置することによって、光ディスク２０の記録面を保護する樹脂層の厚みの違い等によって生じる球面収差の補正が可能となる。液晶素子１ｈを通過した光ビームは１／４波長板１ｉへ送られる。  
【００２６】
１／４波長板１ｉは、入射する直線偏光を円偏光に変換するとともに、入射する円偏光を直線偏光に変換する機能を有する。液晶素子１ｈから送られて１／４波長板１ｉを通過するレーザ光は、直線偏光から円偏光へと変換されて対物レンズ１ｊに送られる。
【００２７】
対物レンズ１ｊは、１／４波長板１ｉを透過した光ビームを光ディスク２０の記録面上に集光させる。また、対物レンズ１ｊは後述するアクチュエータ１ｋによって、例えば、図２の上下方向（光ディスク２０の記録面に対する垂直方向）及び左右方向（光ディスク２０の半径方向）に移動可能とされており、フォーカスサーボ信号及びトラッキングサーボ信号に基づいてその位置が制御される。
【００２８】
光ディスク２０で反射された反射光は、対物レンズ１ｊ、１／４波長板１ｉ、液晶素子１ｈの順に通過し、立ち上げミラー１ｇで反射された後、さらにビームスプリッタ１ｆで反射されて、検出レンズ１ｌによって光検出器１ｍ上に設けられる受光素子へと集光される。
【００２９】
光検出器１ｍは、フォトダイオード等の受光素子を用いて受光した光を、電気信号に変換して信号生成回路２へ出力する。光検出器１ｍは例えば四分割された光ビームを受光する受光領域を備えており、領域ごとに個別に光電変換を行って電気信号を出力することが可能である。
【００３０】
アクチュエータ１ｋは、ドライバ７（図１）で生成され出力された対物レンズ駆動信号に従って、対物レンズ１ｊを光ディスク２０の半径方向に移動させる。アクチュエータ１ｋは、例えば永久磁石（不図示）によって形成される磁界内に位置するコイル（不図示）に駆動電流を流し、ローレンツ力にて対物レンズ１ｊを駆動することができるものであればよい。
【００３１】
またアクチュエータ１ｋは、対物レンズ１ｊを光ディスク２０の記録面に沿う方向に移動させるトラッキング動作の他に、対物レンズ１ｊを光ディスク２０に対して接近離反するように移動させるフォーカス動作も行うことができる。
【００３２】
説明を図１に戻し、信号生成回路２は、光検出器１ｍ（図２）により光電変換されて出力される電気信号に基づきＲＦ信号、トラッキングエラー信号、フォーカスエラー信号、フォーカス和信号等の各種信号を生成する。
【００３３】
サーボ制御部５は、トラッキングエラー信号に基づきトラッキングサーボ信号を生成してドライバ７に出力し、ドライバ７は、トラッキングサーボ信号に基づき光ピックアップ１内のアクチュエータ１ｋ（図２）を駆動する。これにより、アクチュエータ１ｋは対物レンズ１ｊを光ディスク２０の半径方向に駆動制御し、対物レンズ１ｊをトラックに追従させるトラッキング制御が行われる。
【００３４】
また、サーボ制御部５は、フォーカスエラー信号に基づきフォーカスサーボ信号を生成してドライバ７に出力し、ドライバ７は、フォーカスサーボ信号に基づき光ピックアップ１内のアクチュエータ１ｋを駆動する。これにより、アクチュエータ１ｋは対物レンズ１ｊを光ディスク２０の記録面に垂直方向に駆動制御し、対物レンズの焦点位置を記録層に追従させるフォーカス制御が行われる。
【００３５】
ＬＤパワー制御部６は、ＣＤ用ＬＤ１ａ、ＤＶＤ用ＬＤ１ｂ及びＢＤ用ＬＤ１ｃを所望の出力パワーで駆動するようＬＤドライバ４を制御する。
【００３６】
光ディスク２０の再生時は、ＬＤパワー制御部６の制御によりＣＤ用ＬＤ１ａ、ＤＶＤ用ＬＤ１ｂ及びＢＤ用ＬＤ１ｃは所望の再生用パワーで駆動される。このとき、記録再生処理回路３は、信号生成回路２から入力されるＲＦ信号に対して２値化、復調処理、エラー訂正を行い、再生データを取り出す。デコーダ１２は、再生データに対してデコードを行い、デコード後の映像音声データを再生出力部１３を介して装置外部に出力する。
【００３７】
光ディスク２０の記録時は、記録再生処理回路３は、エンコーダ１４によるエンコード後の記録データに対してエラー訂正のためのフラグ付加及び変調処理を行い、処理後のデータをＬＤドライバ４に送る。ＬＤドライバ４は、記録再生処理回路３から送られたデータに基づきＣＤ用ＬＤ１ａ、ＤＶＤ用ＬＤ１ｂ及びＢＤ用ＬＤ１ｃを駆動し、データを光ディスク２０に記録させる。このとき、ＬＤパワー制御部６の制御によりＣＤ用ＬＤ１ａ、ＤＶＤ用ＬＤ１ｂ及びＢＤ用ＬＤ１ｃは所望の記録用パワーで駆動される。
【００３８】
送りモータ８は、ドライバ７からの駆動信号により光ピックアップ１を光ディスク２０の半径方向に駆動する。スピンドルモータ９は、ドライバ７からの駆動信号により光ディスク２０を回転方向に駆動する。
【００３９】
フロントエンドマイコン１０は、サーボ制御部５、ＬＤパワー制御部６等の光ディスクドライブ３０各部を制御する。フラッシュＲＯＭ１１は、電源が切れても記憶情報を維持する不揮発性メモリであり、フロントエンドマイコン１０によりエラー情報を蓄積保存される。エラー情報については後に詳述する。
【００４０】
バックエンドマイコン１５は、バックエンド側の各部を制御し、フロントエンドマイコン１０とバックエンドマイコン１５は、ＡＴＡＰＩ（AT Attachment Packet Interface）による通信が可能である。バックエンドマイコン１５は、フロントエンドマイコン１０に対し各種命令を行い、フロントエンドマイコン１０は、バックエンドマイコン１５に対しエラー情報等を通知できる。
【００４１】
カードインタフェース１６は、例えばＳＤカード等のメモリカード（不図示）を着脱可能であり、メモリカードにエラー情報等を書き込む。リモコン受信部１７は、リモコン装置（不図示）から操作に応じた赤外線信号を受信し、リモコンコードをバックエンドマイコン１５に出力する。
【００４２】
＜エラー情報に関して＞
光ディスクドライブ３０においてエラーが発生した場合、フロントエンドマイコン１０は、エラー情報をバックエンドマイコン１５に通知すると共に、エラー情報をフラッシュＲＯＭ１１に保存させる。図３に、エラー情報の構成例を示す。図３で示すエラー情報は、ＡＴＡＰＩに準拠するものであり、バイト０〜バイト１７までの計１８バイト分の情報となる。
【００４３】
バイト０の０〜６ビットまではError Codeであり、バックエンドマイコン１５からの現在のコマンドに対するエラーの場合は７０ｈとなり、バックエンドマイコン１５からの過去のコマンドに対するエラーの場合は７１ｈとなる。
【００４４】
バイト２の０〜３ビットまでのSense Keyと、バイト１２のASC(Additional Sense Code)と、バイト１３のASCQ(Additional Sense Code Qualifier)は、これらの組合せで各種エラーを表す（例えばフォーカスサーボのエラー、トラッキングサーボのエラー等）。バックエンドマイコン１５は、Sense Key、ASC及びASCQによってエラーに対応した処理を行える。
【００４５】
バイト８〜バイト１１までの情報は、メーカが自由に規定できるベンダー情報であり、バックエンドマイコン１５は参照しない。バイト８のHost Error Informationは、フロントエンドマイコン１０におけるソフトウェアのうちバックエンドマイコン１５側に最も近いホストと呼ばれるソフトウェアのバックエンドマイコン１５との通信エラーを示す。バイト９のRead/Write Error Informationは、光ディスク２０に対する読み取り、または書き込み時のエラーを示す。
【００４６】
バイト１０、１１から成る２バイト分のデータであるMecha Error Informationは、光ディスクドライブ３０におけるハードウェアに関するエラーを示す。図４に、Mecha Error Informationのうち特に重要なものを抜粋して記載する。図４における「番号」が２バイトで示されるデータとしてバイト１０、１１に格納される。以下、図４に示す各エラー内容について説明する。
【００４７】
「ＢＣＡ移動エラー情報」とは、光ディスク２０が有するＢＣＡ（Burst Cutting Area）まで光ピックアップ１を移動させようとしたときに移動できなかった場合のエラーを示す。
【００４８】
「ディスク無しエラー情報」とは、例えば光ディスク自体がマウントされていないことを検出したり、光ディスクが裏返しにマウントされていることを検出したり等、光ディスク無しと認識された場合のエラーを示し、複数のエラー内容に応じて複数の番号が付与される。
【００４９】
「ＬＤ異常エラー情報」とは、レーザダイオード（ＬＤ）に関する異常を検出した場合のエラーを示し、複数のエラー内容に応じて複数の番号が付与される。「フォーカス異常エラー情報」とは、フォーカス動作に関する異常を検出した場合のエラーを示し、複数のエラー内容に応じて複数の番号が付与される。「トラッキング異常エラー情報」とは、トラッキング動作に関する異常を検出した場合のエラーを示す。
【００５０】
「ＰＦＩエラー情報」とは、光ディスク２０が有するＰＦＩ（Physical Format Information）領域に記録されたディスクタイプ情報を読み出したときに、読み出されたディスクタイプ情報が光ディスク装置１００が対応しないディスクタイプであった場合のエラーを示し、複数のエラー内容に応じて複数の番号が付与される。
【００５１】
「ディスク判別エラー情報」とは、フォーカスエラー信号やフォーカス和信号に基づき判別されたディスクタイプが、光ディスク２０に記録されたディスク情報に含まれるディスクタイプ情報と一致しない場合のエラーを示し、複数のエラー内容に応じて複数の番号が付与される。
【００５２】
「トラバース初期位置エラー情報」とは、所定の初期位置まで光ピックアップ１を移動させようとしたときに生じたエラーを示し、複数のエラー内容に応じて複数の番号が付与される。
【００５３】
「ディスク偏芯エラー情報」とは、光ディスク２０の偏芯を検出した場合のエラーを示す。
【００５４】
「ディスク傷検出調整エラー情報」とは、光ディスク２０の傷検出用の調整に失敗した場合のエラーを示す。「フォーカス調整エラー情報」とは、フォーカス調整に失敗した場合のエラーを示す。「オフセット調整エラー情報」とは、オフセット調整に失敗した場合のエラーを示す。「トラッキング調整エラー情報」とは、トラッキング調整に失敗した場合のエラーを示す。
【００５５】
「温度フォーカスバランス調整エラー情報」とは、光ピックアップ１周辺の温度に応じたフォーカスバランス調整に失敗した場合のエラーを示す。
【００５６】
「ディスク重さ異常エラー情報」とは、光ディスク２０の重さが異常であることが検出された場合のエラーを示す。「トラック蛇行エラー情報」とは、光ディスク２０のトラックが蛇行していることが検出された場合のエラーを示す。
【００５７】
「読み出し信号調整エラー情報」とは、光ピックアップ１により読み出されたＲＦ信号の調整に関する異常を検出した場合のエラーを示す。
【００５８】
「ライトストラテジ異常エラー情報」とは、ＬＤによるライトストラテジに関する異常を検出した場合のエラーを示す。
【００５９】
「タスクＯＳエラー情報」とは、フロントエンドマイコン１０のタスクを管理するＯＳに関するエラーを示す。
【００６０】
「フォーカススクリプトエラー情報」とは、フォーカス動作を制御するプログラムのスクリプトエラーを示す。「トラッキングスクリプトエラー情報」とは、トラッキング動作を制御するプログラムのスクリプトエラーを示す。「モータスクリプトエラー情報」とは、スピンドルモータ９を制御するプログラムのスクリプトエラーを示す。「ＬＤスクリプトエラー情報」とは、ＬＤの動作を制御するプログラムのスクリプトエラーを示す。なお、スピンドルモータ９に限らず、例えば送りモータ８やディスクトレイの駆動モータ（不図示）等のモータを制御するプログラムのスクリプトエラーを示すエラー情報を設けてもよい。また、上記各スクリプトエラー情報については、複数のエラー内容に応じて複数の番号が付与される。
【００６１】
エラーが発生した場合、対応するエラー内容のMecha Error Informationが格納されたエラー情報（図３）がフロントエンドマイコン１０によりバックエンドマイコン１５に通知されると共に、フラッシュＲＯＭ１１に蓄積保存される。
【００６２】
リモコン装置（不図示）において所定の操作（通常、エンドユーザは知らない操作）がされると、バックエンドマイコン１５は、フロントエンドマイコン１０への要求によりフラッシュＲＯＭ１１に蓄積されたエラー情報を取得し、エラー情報をカードインタフェース１６を介してメモリカードに記憶させる。これにより、光ディスク装置１００に不具合が生じてエンドユーザから修理を依頼されたメーカ側では、詳細なエラー内容を含んだエラー情報をメモリカードに取得することができ、不具合要因の特定を行い易くなる。従って、修理サービス対応の負荷を軽減できる。
【００６３】
以上、本発明の一実施形態について説明したが、本発明の趣旨の範囲内であれば、実施形態は種々変更が可能である。
【符号の説明】
【００６４】
１００  光ディスク装置
１  光ピックアップ
１ａ  ＣＤ用ＬＤ
１ｂ  ＤＶＤ用ＬＤ
１ｃ  ＢＤ用ＬＤ
２  信号生成回路
３  記録再生処理回路
４  ＬＤドライバ
５  サーボ制御部
６  ＬＤパワー制御部
７  ドライバ
８  送りモータ
９  スピンドルモータ
１０  フロントエンドマイコン
１１  フラッシュＲＯＭ
１２  デコーダ
１３  再生出力部
１４  エンコーダ
１５  バックエンドマイコン
１６  カードインタフェース
１７  リモコン受信部
２０  光ディスク
３０  光ディスクドライブ
【図１】
2012248258.tif 000003
【図２】
2012248258.tif 000004
【図３】
2012248258.tif 000005
【図４】
2012248258.tif 000006